(57)【要約】【課題】ラックに対して内視鏡プロセッサを容易に着脱可能な内視鏡プロセッサ固定装置を得る。【解決手段】第１の固定装置１００は、棚板２１０に向けて突出可能である第１の突起部１１０と、第１の突起部１１０を付勢するコイルバネ１２０と、第１の突起部１１０及びコイルバネ１２０を収納する第１の格納部１３０とからなる。第１の格納部１３０は、円盤形の第１の基部１３１と、円柱形の第１の延伸部１３２とから成る。第１の突起部１１０は円柱形であって、第１のフランジ部１１１を有する。第１の突起部１１０は、その中心軸が第１の収容部１３４の中心軸と同軸となるように、第１の収容部１３４に格納される。第１のフランジ部１１１の外周面が第１の収容部１３４の内周面と、そして第１の突起部１１０の外周面が第１の開口穴１３５の内周面とそれぞれ摺動することにより、第１の突起部１１０は第１の収容部１３４の中で軸方向に進退する。【選択図】図４
2010094280.tif 000002
【特許請求の範囲】
【請求項１】
嵌合穴を有する戴置部材に内視鏡プロセサを固定するための固定装置であって、
前記内視鏡用プロセッサの底面から前記嵌合穴に向けて進退自在に突出し、前記嵌合穴と遊嵌可能である突起と、
前記突起を前記嵌合穴の深さ方向に付勢する付勢部材とを備える内視鏡プロセッサ固定装置。
【請求項２】
前記内視鏡用プロセッサは、操作スイッチ等が設けられる前面を有し、
前記戴置部材に戴置された前記内視鏡用プロセッサの前記前面をユーザが見たときに、前記突起の先端を視認できる程度に前記前面と近接する前記底面上の位置に前記突起が設けられる請求項１に記載の内視鏡プロセッサ固定装置。
【請求項３】
前記嵌合穴は、前記突起の突出方向に垂直な断面において円形の断面形状を有し、
前記突起は、前記断面において前記嵌合穴の断面形状よりも小さい円形の断面形状を有する請求項１に記載の内視鏡用プロセッサ固定装置。
【請求項４】
複数の前記突起を備える請求項１に記載の内視鏡用プロセッサ固定装置。
【請求項５】
前記内視鏡プロセッサは前記底面から突出する脚部材を備え、
前記突起は前記脚部材の内部に設けられ、前記脚部材の底面から前記嵌合穴の深さ方向に向けて進退自在に突出する
請求項１に記載の内視鏡用プロセッサ固定装置。
【請求項６】
前記嵌合穴は、前記突起の突出方向に垂直な断面において長円形の断面形状を有し、
前記断面における前記突起の断面形状が、前記嵌合穴の長手方向長さ未満の長手方向長さを有する長円形である請求項１に記載の内視鏡用プロセッサ固定装置。
【請求項７】
前記嵌合穴は、前記突起の突出方向に垂直な断面において長方形の断面形状を有し、
前記断面における前記突起の断面形状が、前記嵌合穴の長手方向長さ未満の長手方向長さを有する長方形である請求項１に記載の内視鏡用プロセッサ固定装置。
【請求項８】
前記嵌合穴は、前記突起の突出方向に垂直な断面において矩形の断面形状を有し、
前記突起は、前記断面において前記嵌合穴の断面形状よりも小さい矩形の断面形状を有する請求項１に記載の内視鏡用プロセッサ固定装置。
【請求項９】
請求項１に記載の内視鏡用プロセッサ固定装置を備える内視鏡用プロセッサ。
【発明の詳細な説明】
【技術分野】
【０００１】
本発明は、内視鏡プロセッサを戴置部材に固定するための固定装置に関する。
【背景技術】
【０００２】
内視鏡装置は、内視鏡スコープと内視鏡プロセッサとを主に備える。内視鏡スコープの挿入部は、例えば人体の体内に挿入されて体内の画像を内視鏡プロセッサに送信し、内視鏡プロセッサは内視鏡スコープから受信した画像を画像処理する。
【０００３】
内視鏡プロセッサは、ディスプレイ等の内視鏡装置を使用するために必要な装置と共に戴置部材、例えば車輪付きのラックに置かれる。内視鏡プロセッサに内視鏡スコープを接続するとき、あるいはラックを移動するときに、内視鏡プロセッサが動いたり、ラックから転落したりすることを防止するため、内視鏡プロセッサが置かれたラックの棚板の裏から螺子や突起を内視鏡プロセッサに係合させて、内視鏡プロセッサをラックに固定する構成が知られている。
【特許文献１】特開平９−３０８６０３号公報
【発明の開示】
【発明が解決しようとする課題】
【０００４】
しかし、内視鏡装置の操作性を考慮して、ラックの上段にディスプレイが、中段に内視鏡プロセッサが、下段に周辺機器などが戴置されることがある。このような位置に内視鏡プロセッサが置かれると、棚板の裏から螺子や突起を操作することが困難となり、ラックに対して内視鏡プロセッサを着脱することに手間が必要となる。
【０００５】
本発明はこれらの問題を鑑みてなされたものであり、ラックに対して内視鏡プロセッサを容易に着脱可能な内視鏡プロセッサ固定装置を得ることを目的とする。
【課題を解決するための手段】
【０００６】
本願第１の発明による内視鏡プロセッサ固定装置は、嵌合穴を有する戴置部材に内視鏡プロセサを固定するための固定装置であって、内視鏡用プロセッサの底面から嵌合穴に向けて進退自在に突出し、嵌合穴と遊嵌可能である突起と、突起を嵌合穴の深さ方向に付勢する付勢部材とを備えることを特徴とする。
【０００７】
内視鏡用プロセッサは、操作スイッチ等が設けられる前面を有し、戴置部材に戴置された内視鏡用プロセッサの前面をユーザが見たときに、突起の先端を視認できる程度に前面と近接する底面上の位置に突起が設けられてもよい。ユーザが突起と嵌合穴との相対位置を視認しながら内視鏡用プロセッサを戴置部材に固定することができる。
【０００８】
嵌合穴は、突起の突出方向に垂直な断面において円形の断面形状を有し、突起は、断面において嵌合穴の断面形状よりも小さい円形の断面形状を有することが好ましい。
【０００９】
内視鏡用プロセッサ固定装置は、複数の突起を備えてもよい。内視鏡用プロセッサをより確実に戴置部材に固定できる。
【００１０】
内視鏡プロセッサは底面から突出する脚部材を備え、突起は脚部材の内部に設けられ、脚部材の底面から嵌合穴の深さ方向に向けて進退自在に突出してもよい。
【００１１】
嵌合穴は、突起の突出方向に垂直な断面において長円形の断面形状を有し、断面における突起の断面形状が、嵌合穴の長手方向長さ未満の長手方向長さを有する長円形であることが好ましい。
【００１２】
嵌合穴は、突起の突出方向に垂直な断面において長方形の断面形状を有し、断面における突起の断面形状が、嵌合穴の長手方向長さ未満の長手方向長さを有する長方形であってもよい。
【００１３】
嵌合穴は、突起の突出方向に垂直な断面において矩形の断面形状を有し、突起は、断面において嵌合穴の断面形状よりも小さい矩形の断面形状を有してもよい。
【００１４】
本願第２の発明による内視鏡プロセッサは、内視鏡用プロセッサ固定装置を備えることを特徴とする。
【発明の効果】
【００１５】
本発明によれば、ラックに対して内視鏡プロセッサを容易に着脱可能な内視鏡プロセッサ固定装置を得る。
【発明を実施するための最良の形態】
【００１６】
以下、本発明における内視鏡プロセッサ固定装置の第１の実施形態について図１から５を参照して説明する。
【００１７】
内視鏡装置は、人体内部に挿入される内視鏡スコープ（非図示）と、挿入部の近位端が接続される内視鏡プロセッサ２３０と、内視鏡スコープが有する送気送水管に空気及び水を送る送気送水装置２５２とを有する。内視鏡プロセッサ２３０は内視鏡スコープから送信される映像信号を処理して、モニタ２５１に表示する。内視鏡プロセッサ２３０、モニタ２５１、及び送気送水装置２５２は、ラック２００が有する棚板２１０の上に設置される。棚板２１０は戴置部材を成す。
【００１８】
ラック２００は、板状の部材から成る複数の棚板２１０と、棚板２１０を支持する複数の柱２２１と、最下段の棚板２１０に取り付けられた複数のキャスター２２２とから主に構成される。棚板２１０の上面は、様々な物を載せるための戴置面を成す。最上段の棚板２１０にはモニタ２５１が設置される。最上段と最下段の棚板の間には、上から中間第１段、中間第２段、中間第３段、及び中間第４段の４枚の棚板２１０が取り付けられる。中間第２段の棚板２１０には内視鏡プロセッサ２３０が設置され、中間第４段の棚板２１０には送気送水装置２５２が設置される。
【００１９】
ユーザが操作しやすいように、天地方向における棚板２１０の間隔が決定される。このとき、棚板２１０と送気送水装置２５２、あるいは棚板２１０どうしの間隔が近接して、棚板２１０と装置、あるいは棚板２１０どうしの間に、ユーザが手を入れにくくなる。
【００２０】
最下段の棚板２１０の四隅にキャスター２２２が４つ取り付けられる。これにより、ユーザはラック２００を所望の場所へ容易に移動することができる。
【００２１】
棚板２１０の略中央には、円柱形の第１の嵌合穴２１１が１つ設けられる。第１の嵌合穴２１１は棚板２１０の厚さ方向に貫通する。第１の嵌合穴２１１の径は後述する第１の突起部１１０の径よりもわずかに大きい。
【００２２】
内視鏡プロセッサ２３０は、筐体２３１と、筐体２３１の底面２３９の四隅に取り付けられた４本の脚２４０と、底面２３９の略中央から突出する第１の内視鏡プロセッサ固定装置（以下、第１の固定装置という）１００とを有する。
【００２３】
筐体２３１の前面２３２には、内視鏡プロセッサ２３０及び内視鏡スコープを操作するためのスイッチ２３３、並びに内視鏡スコープを接続するための取付口２３４等が設けられる。
【００２４】
第１の固定装置１００は、棚板２１０に向けて突出可能である第１の突起部１１０と、第１の突起部１１０を付勢するコイルバネ１２０と、第１の突起部１１０及びコイルバネ１２０を収納する第１の格納部１３０とからなる。
【００２５】
第１の格納部１３０は、円盤形の第１の基部１３１と、第１の基部１３１よりも短い径と長い軸方向長さを有する円柱形の第１の延伸部１３２とから成る。互いの中心軸が同軸となるように第１の基部１３１と第１の延伸部１３２とが一体的に接続される。すなわち、第１の格納部１３０の中心軸と第１の基部１３１及び第１の延伸部１３２の中心軸とが同軸となる。第１の格納部１３０の軸方向長さは、脚２４０の長さと同じである。すなわち、第１の格納部１３０の第１の延伸部１３２側の先端面１３３は、脚２４０の先端面２４１と同一の平面上に置かれる。
【００２６】
第１の格納部１３０の内部には、円柱形の第１の収容部１３４が設けられる。第１の格納部１３０の中心軸と第１の収容部１３４の中心軸は同軸である。第１の収容部１３４の径はコイルバネ１２０の外径よりもやや大きい。
【００２７】
第１の延伸部１３２の円形端面のうち、第１の基部１３１と接続されない先端面１３３には、円形の第１の開口穴１３５が設けられる。第１の開口穴１３５は第１の格納部１３０の外部から第１の収容部１３４まで貫通する。第１の開口穴１３５の中心は第１の格納部１３０の中心軸上に置かれる。第１の開口穴１３５の径は第１の収容部１３４の径よりも小さい。
【００２８】
第１の突起部１１０は円柱形であって、円柱の一端の全周に渡って設けられる第１のフランジ部１１１を有する。第１のフランジ部１１１の径は第１の格納部１３０の径よりもやや小さい。円柱の径は第１の開口穴１３５の径よりもやや小さい。
【００２９】
第１の突起部１１０は、その中心軸が第１の収容部１３４の中心軸と同軸となるように、第１の収容部１３４に格納される。第１のフランジ部１１１の外周面が第１の収容部１３４の内周面と、そして第１の突起部１１０の外周面が第１の開口穴１３５の内周面とそれぞれ摺動することにより、第１の突起部１１０は第１の収容部１３４の中で軸方向に進退する。
【００３０】
第１のフランジ部１１１の厚さは、第１の突起部１１０が第１の収容部１３４の中で上下したときに、第１の突起部１１０ががたつかない程度の厚さである。第１のフランジ部１１１と第１の開口穴１３５は第１の突起部１１０の進退動作に対してガイドの役割を果たす。
【００３１】
第１の突起部１１０の軸方向長さは、第１の開口穴１３５から第１の突起部１１０が突出したときに、第１の突起部１１０が１０ｍｍくらい突出する程度である。第１の開口穴１３５から突出する第１の突起部１１０の一端を第１の突出端１１２と呼ぶ。
【００３２】
コイルバネ１２０は、圧縮コイルバネである。第１の収容部１３４において第１の開口穴１３５が設けられる円形端面に対抗する円形端面１３６と、第１の突起部１１０において第１のフランジ部１１１が設けられる円形端面１１４との間に設けられる。コイルバネ１２０の自由長は、第１の収容部１３４の軸方向長さから第１のフランジ部１１１の厚さを減じた長さよりも長い。すなわち、コイルバネ１２０は、第１の収容部１３４の円形端面１３６と第１の突起部１１０の円形端面１１４と常に係合し、第１の収容部１３４の外部に向けて第１の突起部１１０を常に付勢する。
【００３３】
次に、内視鏡プロセッサ２３０を棚板２１０に固定する手順について説明する。
【００３４】
内視鏡プロセッサ２３０を棚板２１０に戴置する前、ユーザが内視鏡プロセッサ２３０を空中において保持しているとき、第１の突起部１１０の一部はコイルバネ１２０に付勢されて第１の開口穴１３５から突出する。第１のフランジ部１１１が第１の収容部１３４の内壁面と係合して、第１の突起部１１０が第１の収容部１３４から外部へ脱落することを防止する。
【００３５】
ユーザが棚板２１０に内視鏡プロセッサ２３０を置くと、棚板２１０が第１の突出端１１３を押圧し、第１の突起部１１０の第１のフランジ部側端面１１４がコイルバネ１２０を押圧する。押圧されたコイルバネ１２０が縮むため、第１の突起部１１０が第１の収容部１３４の内部に退行する。これにより、第１の突出端１１２と、第１の収容部１３４の先端面１３３と、脚２４０の先端面２４１とが同一の平面上に置かれる。
【００３６】
次に、ユーザは、内視鏡プロセッサ２３０を棚板２１０の戴置面と平行方向に移動させる。第１の突起部１１０が第１の嵌合穴２１１の位置まで移動すると、第１の突起部１１０がコイルバネ１２０により付勢されて第１の嵌合穴２１１の内部に自動的に進行する。そして、第１の突起部１１０の外側面が第１の嵌合穴２１１の内側面と係合する。これにより、内視鏡プロセッサ２３０の棚板２１０の戴置面と平行方向における移動が規制される。
【００３７】
本実施形態によれば、第１の突起部１１０と第１の嵌合穴２１１の位置をユーザが合わせるだけで、容易に内視鏡プロセッサ２３０をラック２００に固定することができる。内視鏡プロセッサ２３０は約２０キロ程度の重量を有するため、重力方向に固定しなくても内視鏡プロセッサ２３０の移動を十分に規制することができる。内視鏡プロセッサ２３０が戴置されたラック２００を移動するときに発生する振動や衝撃により、内視鏡プロセッサ２３０がラック２００から落下することを防止できる。また、内視鏡スコープを内視鏡プロセッサ２３０に挿抜するとき、内視鏡プロセッサ２３０が移動してしまうことを防止できる。
【００３８】
第２の実施形態による内視鏡プロセッサ固定装置１００について図６から８を参照して説明する。第１の実施形態と同様の構成については、第１の実施形態と同じ番号を付し、説明を省略する。
【００３９】
本実施形態では、内視鏡プロセッサ２３０の４つの脚２４０の中に第１の固定装置１００が設けられる。以下、第１の固定装置１００、及びこれに対応する棚板２１０について説明する。
【００４０】
棚板２１０には、内視鏡プロセッサ２３０の４本の脚２４０に対応する位置に、円柱形の４つの第１の嵌合穴２１１が設けられる。第１の嵌合穴２１１は棚板２１０の厚さ方向に貫通する。穴の径は第１の実施形態と同様である。
【００４１】
内視鏡プロセッサ２３０の底面の四隅には、脚２４０がそれぞれ設けられる。これら４つの脚２４０の内部に第１の固定装置１００がそれぞれ設けられる。
【００４２】
第１の固定装置１００は、棚板２１０に向けて突出可能である第１の突起部１１０と、第１の突起部１１０を付勢するコイルバネ１２０と、第１の突起部１１０及びコイルバネ１２０を収納する第１の格納部１３０とからなる。第１の格納部１３０、第１の突起部１１０、及びコイルバネ１２０の構成は第１の実施形態と同様であるため、説明を省略する。
【００４３】
内視鏡プロセッサ２３０を棚板２１０に固定する手順は、第１の実施形態と同様である。
【００４４】
本実施形態によれば、第１の固定装置１００のため特別に第１の格納部１３０を設ける必要がない。部品点数をいたずらに増やすことなく内視鏡プロセッサ２３０を棚板２１０に固定することができる。また、複数の第１の固定装置１００を設けることにより、確実に内視鏡プロセッサ２３０を棚板２１０に固定できる。
【００４５】
なお、４つの脚２４０全てに第１の固定装置１００を設けなくてもよく、４未満の数の脚２４０の内部にのみ第１の固定装置１００が設けられても良い。特に、前面２３２に近い位置にある２つの脚２４０に第１の固定装置１００が設けられることが好ましい。ユーザが第１の嵌合穴２１１の位置を容易に確認できるため、第１の突起部１１０の位置を第１の嵌合穴２１１に一致させやすくなる。
【００４６】
第３の実施形態による内視鏡プロセッサ固定装置（第２の固定装置）５００について図９から１３を参照して説明する。第１の実施形態と同様の構成については、第１の実施形態と同じ番号を付し、説明を省略する。
【００４７】
棚板２１０の略中央には、長円形の第２の嵌合穴６１１が１つ設けられる。第２の嵌合穴６１１は棚板２１０の厚さ方向に貫通する。第２の嵌合穴６１１の大きさは後述する第２の突起部５１０の径よりもわずかに大きい。
【００４８】
内視鏡プロセッサ２３０は、筐体２３１と、筐体２３１の底面２３９に取り付けられた４本の脚２４０と、底面２３９の略中央から突出する第２の固定装置５００とを有する。
【００４９】
第２の固定装置５００は、棚板２１０に向けて突出可能である第２の突起部５１０と、第２の突起部５１０を付勢する２つのコイルバネ１２０と、第２の突起部５１０及びコイルバネ１２０を収納する第２の格納部５３０とからなる。
【００５０】
第２の格納部５３０は、厚さを有する長円形の第２の基部５３１と、第２の基部５３１よりも小さくかつ厚い長円形の断面を有する直柱体である第２の延伸部５３２とから成る。長円形は、半円の直径と同じ長さの短辺を有する長方形で２つの半円を接続した形状である。第２の基部５３１の端面における略中央に、第２の延伸部５３２の一端面が一体的に接続される。第２の格納部５３０の軸方向長さは、脚２４０の長さと同じである。すなわち、第２の格納部５３０の第２の延伸部５３２側の先端面５３３は、脚２４０の先端面２４１と同一の平面上に置かれる。
【００５１】
第２の格納部５３０の内部には、長円形の直柱体形状を有する第２の収容部５３４が設けられる。第２の収容部５３４は、第２の基部５３１及び第２の延伸部５３２の端面における略中央に位置する。
【００５２】
第２の延伸部５３２の長円形端面のうち、第２の基部５３１と接続されない先端面５３３には、長円形の第２の開口穴５３５が設けられる。第２の開口穴５３５は第２の格納部５３０の外部から第２の収容部５３４まで貫通する。第２の開口穴５３５は第２の延伸部５３２の長円形端面の中心に置かれる。第２の開口穴５３５は第２の収容部５３４の長円形断面よりも小さい。
【００５３】
第２の突起部５１０は長円形の断面を有する直柱体であって、直柱体の一端の全周に渡って設けられる第２のフランジ部５１１を有する。第２のフランジ部５１１は第２の格納部５３０の長円形断面よりもやや小さい。直柱体の長円形断面は第２の開口穴５３５よりもやや小さい。
【００５４】
第２の突起部５１０は、第２の収容部５３４に格納される。第２のフランジ部５１１の外周面が第２の収容部５３４の内周面と、そして第２の突起部５１０の外周面が第２の開口穴５３５の内周面とそれぞれ摺動することにより、第２の突起部５１０が第２の収容部５３４の中で底面２３９に対し垂直方向に進退する。
【００５５】
第２のフランジ部５１１の厚さは、第２の突起部５１０が第２の収容部５３４の中で前後したときに、第２の突起部５１０ががたつかない程度の厚さである。第２のフランジ部５１１と第２の開口穴５３５は第２の突起部５１０の進退動作に対してガイドの役割を果たす。
【００５６】
第２の突起部５１０の軸方向長さは、第２の開口穴５３５から第２の突起部５１０が突出したときに、第２の突起部５１０が１０ｍｍくらい突出する程度である。第２の開口穴５３５から突出する第２の突起部５１０の一端を第２の突出端５１３と呼ぶ。
【００５７】
コイルバネ１２０は、圧縮コイルバネである。第２の収容部５３４において第２の開口穴５３５が設けられる長円形端面に対抗する長円形端面５３６と、第２の突起部５１０において第２のフランジ部５１１が設けられる長円形端面５１４との間に設けられる。第２の突起部５１０において第２のフランジ部５１１が設けられる長円形端面５１４上におけるコイルバネ１２０の位置は、長円形の一部である半円の中心とコイルバネ１２０の中心とが一致する位置である。コイルバネ１２０の自由長は、第２の収容部５３４の軸方向長さから第２のフランジ部５１１の厚さを減じた長さよりも長い。すなわち、コイルバネ１２０は、第２の収容部５３４の長円形端面５３６と第２の突起部５１０の長円形端面５１４と常に係合し、第２の収容部５３４の外部に向けて第２の突起部５１０を常に付勢する。
【００５８】
内視鏡プロセッサ２３０を棚板２１０に固定する手順は、第１の実施形態と同様であるため、説明を省略する。
【００５９】
本実施形態によれば、第２の嵌合穴６１１及び第２の突起部５１０が長円形断面を有するため、１つの固定部材を設けることにより、棚板２１０の戴置面における内視鏡プロセッサ２３０の移動を規制できる。
【００６０】
なお、第２の嵌合穴６１１がプロセッサの前後方向、斜め方向に延びても良い。
【００６１】
なお、第２の固定装置５００が脚２４０の内部に収納されても良い。
【００６２】
また、図１３における第３の嵌合穴７１１のように、第２の嵌合穴６１１の長手方向長さが、内視鏡プロセッサ２３０が穴の長手方向へ移動可能な程度に長くても良い。第２の突起部５１０を第２の嵌合穴６１１に容易に嵌合させることができる。
【００６３】
なお、いずれの実施形態においても、第１及び第２の嵌合穴２１１、６１１は棚板２１０を貫通していなくても良く、内視鏡プロセッサ２３０が棚板２１０の面内において移動しないように突起部が第１及び第２の嵌合穴２１１、６１１と十分に嵌合するだけの深さがあれば良い。
【００６４】
第１及び第２の突起部１１０、５１０、第１及び第２の嵌合穴２１１、６１１は矩形、あるいは楕円形状の断面を有しても良い。
【００６５】
内視鏡用プロセッサに取り付けられる固定装置について説明したが、モニタ等の他の機器に固定装置が用いられても良い。
【図面の簡単な説明】
【００６６】
【図１】第１の実施形態による固定装置を有する内視鏡スコープとラックとを示した図である。
【図２】第１の実施形態による棚板の平面図である。
【図３】棚板に戴置された内視鏡プロセッサと棚板とを示した平面図である。
【図４】図３のＩＶ−ＩＶ線による断面図である。
【図５】嵌合穴と突起部が嵌合していない状態にあるときの内視鏡プロセッサと棚板の断面図である。
【図６】第２の実施形態による固定装置に用いられる棚板の平面図である。
【図７】棚板に戴置された内視鏡プロセッサと棚板を示した平面図である。
【図８】図７のＶＩＩＩ−ＶＩＩＩ線による断面図である。
【図９】第３の実施形態による固定装置に用いられる棚板の平面図である。
【図１０】棚板に戴置された内視鏡プロセッサと棚板を示した平面図である。
【図１１】図１０のＸＩ−ＸＩ線による断面図である。
【図１２】嵌合穴と突起部が嵌合していない状態にあるときの内視鏡プロセッサと棚板の断面図である。
【図１３】棚板に戴置された内視鏡プロセッサと棚板を示した平面図である。
【符号の説明】
【００６７】
１００  第１の固定装置
１１０  第１の突起部
１２０  コイルバネ
１３０  第１の格納部
２１０  棚板
２１１  第１の嵌合穴
２３０  内視鏡プロセッサ
２４０  脚
５００  第２の固定装置
５１０  第２の突起部
５３０  第２の格納部
６１１  第２の嵌合穴
【図１】
2010094280.tif 000003
【図２】
2010094280.tif 000004
【図３】
2010094280.tif 000005
【図４】
2010094280.tif 000006
【図５】
2010094280.tif 000007
【図６】
2010094280.tif 000008
【図７】
2010094280.tif 000009
【図８】
2010094280.tif 000010
【図９】
2010094280.tif 000011
【図１０】
2010094280.tif 000012
【図１１】
2010094280.tif 000013
【図１２】
2010094280.tif 000014
【図１３】
2010094280.tif 000015